(57)【要約】【課題】  トイレットペーパーの芯軸で軸支することなく、また、ローラーなどで支持することもなく、トイレットペーパーの装着が容易で、かつ、使用時にスムーズに引き出すことができるトイレットペーパーホルダーを提供することを課題とする。【解決手段】  ロール状のトイレットペーパーを保持するためのトイレットペーパーホルダーにおいて、トイレットペーパーの芯を軸支せずに、引き出し時に該トイレットペーパーが容易に滑って回転できる滑り手段が設けられた収納容器と、該トイレットペーパーの引き出し時に上部から押える紙切板または、切断部が設けられた蓋体とからなることを特徴とするトイレットペーパーホルダーである。【選択図】  図１
2006263446.tif 000002
【特許請求の範囲】
【請求項１】
ロール状のトイレットペーパーを保持するためのトイレットペーパーホルダーにおいて、トイレットペーパーの芯を軸支せずに、引き出し時に該トイレットペーパーが容易に滑って回転できる滑り手段が設けられ、上部が開放された収納容器と、その上部に取り付ける、該トイレットペーパーの引き出し時に上部から押える紙切板とからなることを特徴とするトイレットペーパーホルダー。
【請求項２】
前記の滑り手段が、滑り素材によるシートであり、該滑りシートが収納容器の内面に貼りつけられていることを特徴とする請求項１に記載のトイレットペーパーホルダー。
【請求項３】
前記の滑り手段が、収納容器の底部にトイレットペーパーの回転方向と平行に設けられた複数のレールであり、該滑りレール上でトイレットペーパーが容易に回転して引き出せることを特徴とする請求項１に記載のトイレットペーパーホルダー。
【請求項４】
前記の収納容器の上部に開閉可能な蓋体と、引き出したトイレットペーパーを切断するための紙切部が設けられていることを特徴とする請求項１から請求項３までのいずれかの項に記載のトイレットペーパーホルダー。
【請求項５】
前記の紙切板が市販のトイレットペーパーホルダーの押さえ板をそのまま用い、前記の収納容器の前面上部に切断刃を設け、引き出したトイレットペーパーが該押さえ板で押さられ、切断刃で切断されることを特徴とする請求項１から請求項３までのいずれかの項に記載のトイレットペーパーホルダー。
【請求項６】
前記の収納容器の底部がトイレットペーパーが収まるように円形となっており、その円形状の収納容器底部の外部前方の下側にトイレットペーパーを切断するための切断刃が設けられ、前記の紙切板を必要とせずに切断できることを特徴とする請求項１から請求項３までのいずれかの項に記載のトイレットペーパーホルダー。
【請求項７】
前記の切断刃の刃面は、左右両端側が突出し、中央部が凹んだ湾曲面であることを特徴とする請求項６に記載のトイレットペーパーホルダー。
【請求項８】
前記の収納容器の前面部に、トイレットペーパーの滑り止め手段が設けられていることを特徴とする請求項１から請求項７までのいずれかに記載のトイレットペーパーホルダー。
【請求項９】
前記の滑り止め手段は、トイレットペーパーが着脱自在に付着する滑り止めシートであることを特徴とする請求項８に記載のトイレットペーパーホルダー。
【発明の詳細な説明】
【技術分野】
【０００１】
本発明は、トイレに設置され、ロール状のトイレットペーパーを引き出し、切断して使用するためのトイレットペーパーホルダーに関する。
【背景技術】
【０００２】
従来のトイレットペーパーホルダーは、図１０に示すように、ロール状のトイレットペーパー１０を芯軸が水平状態でセットし、その芯軸を両側からホルダー１１で軸支し、その軸で支えて回転させ、引き出して使用するものであり、上部に紙切板１２を設けて、一定量引き出したところで切断できるようになっている。
【０００３】
従来のトイレットペーパーホルダーは、特開２００４−２７５６５１号公報や特開２００４−２７５５３９号公報などに開示されているように、片手に引き出しでき、片手で切断できるようにしたものが開示されている。
【０００４】
また、トイレットペーパーの芯軸を軸支せずにローラーを設けて、そのローラーで回転できるようにしたものなどもある。
【特許文献１】特開２００４−２７５６５１号公報
【特許文献２】特開２００４−２７５５３９号公報
【発明の開示】
【発明が解決しようとする課題】
【０００５】
本発明では、従来のトイレットペーパーホルダーが芯軸で軸支されているために、引き出したときに、ホルダーから外れて落としてしまったり、取付けが面倒であったりする問題を解決しようとするものである。
【０００６】
上記のローラー方式のものもあるが、２台のローラーを用いたものなどでは、トイレットペーパーの芯軸とローラーの軸線が平行であるため、トイレットペーパーを使用するに従ってトイレットペーパーの直径が小さくなり、ローラーから外れてしまったり、うまく回転しなくなってしまったりするなどの問題があった。
【０００７】
また、ローラーの場合には、回転しやすくなる反面、紙切りがしにくくなる。
【０００８】
本発明は、上記の問題点に鑑みてなされたものであり、トイレットペーパーの芯軸で軸支することなく、また、ローラーなどで支持することもなく、トイレットペーパーの装着が容易で、かつ、使用時にスムーズに引き出すことができるトイレットペーパーホルダーを提供することを課題とする。
【課題を解決するための手段】
【０００９】
本発明は、上記に示す課題を、以下の手段によって解決することができる。
【００１０】
本発明の請求項１は、ロール状のトイレットペーパーを保持するためのトイレットペーパーホルダーにおいて、トイレットペーパーの芯を軸支せずに、引き出し時に該トイレットペーパーが容易に滑って回転できる滑り手段が設けられ、上部が開放された収納容器と、その上部に取り付ける、該トイレットペーパーの引き出し時に上部から押える紙切板とからなることを特徴とするトイレットペーパーホルダーである。
【００１１】
本発明の請求項２は、前記の滑り手段が、滑り素材によるシートであり、該滑りシートが収納容器の内面に貼りつけられていることを特徴とするトイレットペーパーホルダーである。
【００１２】
該滑り素材は、トイレットペーパーを引き出すことで容易に滑って回転できるものであればいずれでもよく、耐久性と安全性に優れたフッ素樹脂材などが好ましい。
【００１３】
本発明の請求項３は、前記の滑り手段が、収納容器の底部にトイレットペーパーの回転方向と平行に設けられた複数のレールであり、該滑りレール上でトイレットペーパーが容易に回転して引き出せることを特徴とするトイレットペーパーホルダーである。
【００１４】
本発明の請求項４は、前記の収納容器の上部に開閉可能な蓋体と、引き出したトイレットペーパーを切断するための紙切部が設けられていることを特徴とするトイレットペーパーホルダーである。
【００１５】
本発明の請求項５は、前記の紙切板が市販のトイレットペーパーホルダーの押さえ板をそのまま用い、前記の収納容器の前面上部に切断刃を設け、引き出したトイレットペーパーが該押さえ板で押さられ、切断刃で切断されることを特徴とするトイレットペーパーホルダーである。
【００１６】
本発明の請求項６は、前記の収納容器の底部はトイレットペーパーが収まるように円形となっており、その円形状の収納容器底部の外部前方の下側にトイレットペーパーを切断するための切断刃が設けられ、前記の紙切板を必要とせずに切断できることを特徴とするトイレットペーパーホルダーである。
【００１７】
該円形状の底部は、トイレットペーパーが収まるものであれば、円の直径は、いずれでも良く、また、底部の少なくとも前方部分が円形状であれば良い。
【００１８】
また、切断刃の位置は、該収納容器の円形状となった底部前方部分であり、かつ、その刃面が収納容器の前面より突出しないような位置であれば良い。
【００１９】
本発明の請求項７は、前記の切断刃の刃面は、左右両端側が突出し、中央部が凹んだ湾曲面であることを特徴とするトイレットペーパーホルダーである。
【００２０】
該湾曲形状は、滑らかに湾曲していることが好ましく、左右の突出部面と中央の凹部面との距離が５ｍｍから２０ｍｍ程度が好ましい。
【００２１】
また、左右の突出端部は、刃面を設けずに、また、角が鋭角とならないように丸みを帯びていることが好ましい。
【００２２】
本発明の請求項８は、前記の収納容器の前面部に、トイレットペーパーの滑り止め手段が設けられていることを特徴とするトイレットペーパーホルダー。
【００２３】
該滑り止め手段は、収納容器の前面部に、トイレットペーパーを引き出して切断した時に、引き込まれることを防止できるものであればいずれでも良く、トイレットペーパーがひっかかる小さな爪や棘を多数設けたものでも良く、サンドペーパーなどのザラザラ面を設けたものでも良い。
【００２４】
また、収納容器の前面部は、平面でも、曲面でも良く、傾斜面としても良い。
【００２５】
本発明の請求項９は、前記の滑り止め手段は、トイレットペーパーが着脱自在に付着する滑り止めシートであることを特徴とするトイレットペーパーホルダー。
【００２６】
該滑り止めシートは、トイレットペーパーが着脱できるものであればいずれでも良く、何回でも貼ったり剥がしたりできる付箋紙などに用いられている化学糊などを用いたシートでも良い。
【発明の効果】
【００２７】
１）トイレットペーパーを軸支せずに、簡単に引き出せる。
【００２８】
２）市販のトイレットペーパーホルダーに取り付けて使用でき、取付けが容易である。
【００２９】
３）トイレットペーパーのセットが非常に簡単である。
【００３０】
４）構造が簡単で低コストに製作できる。
【００３１】
５）トイレットペーパーの引き出し時に外れて落としてしまうことがなくなる。
【００３２】
６）湾曲した収納容器の底部に切断刃が設けられているため、刃面が突出していないので安全であり、従来のような紙切板を必要とせずに容易に切断できる。る。
【００３３】
７）芯軸が無くても、トイレットペーパーのロール径に関係なく、確実に切断できる。
【００３４】
８）切断刃が湾曲しているので、収納容器の下部においても容易に切断できる。
【００３５】
９）滑り止め手段により、トイレットペーパーを切断した後に、収納容器内に引き込まれる恐れが無くなる。
【００３６】
１０）滑り止め手段により、トイレットペーパーが滑らないので切断しやすくなる。
【発明を実施するための最良の形態】
【００３７】
以下、本発明の実施の形態について、実施例の図面を用いて説明する。
【００３８】
図１は本発明によるトイレットペーパーホルダーの実施例を示す図である。
【００３９】
このトイレットペーパーホルダーは、市販のトイレットペーパーホルダーの底部に本発明によるトイレットペーパーホルダーの収納容器をセットしたものである。
【００４０】
上部の市販のトイレットペーパーホルダーは、図１０の従来のトイレットペーパーホルダーと同様であり、取付フレーム１と紙切板２で構成されている。
【００４１】
なお、トイレットペーパーの芯を軸支するための軸棒は取り外してある。
【００４２】
下部のトイレットペーパーの収納容器３は、上部が開放された樹脂製の箱型容器であり、その底部には、トイレットペーパーを引き出すときに、容易に回転できるように、滑り手段として棒状レール４が２本設けられている。
【００４３】
該棒状レールは、金属製または樹脂製などでも良い。
【００４４】
収納容器の水切り手段として、容器底面にドレン穴やスリット穴を設けると良い。
【００４５】
また、該収納容器の側面部には、予備のトイレットペーパーを置いておくためのストック台５が設けられている。
【００４６】
Ｌ型構造で収納容器の側部にしっかりと固定されているため、強度を高めることができる。
【００４７】
また、Ｌ型形状ストック台の背面は、壁面への取付け部となる。
【００４８】
図に示すように、市販のトイレットペーパーホルダーの取付フレーム１の背面側に収納容器３の背面部を差しこんでＡ位置まで押し上げ、収納容器３の背面と壁面及び収納容器の側面と取付フレーム１とを、各々、接着剤やネジなどで固定して取り付ける。
【００４９】
このような構成により、トイレットペーパーをセットすると、図２の模式図に示すように、収納容器３の底部に設けられた棒状レール４にトイレットペーパー６が載置された状態となり、この状態でトイレットペーパー６を引き出すと、トイレットペーパー６と収納容器３は接触せず、棒状レール４のみと接した状態で回転するため、接触面積が小さく、回転に対する摩擦抵抗がほとんどなくなり、スムーズにトイレットペーパー６が回転し、抵抗なく引き出すことができる。
【００５０】
このため、従来のトイレットペーパーホルダーのように、引き出すときにトイレットペーパー自体がホルダー１１から外れて落としてしまったりすることがない。
【００５１】
また、トイレットペーパーの取り替え時に、特別な操作の必要がなく、芯軸を差し替えたりする必要もなく、紙切板２を上げて新しいトイレットペーパーを入れるだけで良い。
【００５２】
収納容器３の前面の引き出し口には、細線状の引き出しロッド６が設けられている。
【００５３】
この引き出しロッド６により、トイレットペーパーが小さくなっても、スムーズに引き出すことができ、また、飛び出してしまう恐れもなくなる。
【００５４】
また、図３の実施例に示すように、収納容器１５の前面壁１５ａを高くし、切断刃１６を設けても良い。
【００５５】
本実施例は透明アクリル樹脂製であり、収納容器１５の底部に棒状レール１７が３本設けられ、ドレン穴１８が４個設けられている。
【００５６】
図４は本発明によるトイレットペーパーホルダーの他の実施例を示す図であり、この実施例では、既存の紙切板２１が設けられたトイレットペーパーホルダー２０の下部に収納容器２２が取り付けられたものであるが、この収納容器の上部は完全開放されているのではなく、トイレットペーパー２６を引き出す側の手前部分に開閉可能な蓋体２３が設けられており、その先端にトイレットペーパーの切断部２４が設けられている。
【００５７】
手前側に蓋体２３が設けられていることにより、使用によってトイレットペーパーの残りが少なくなり、ロール状のトイレットペーパー２５の径が小さくなっても、収納容器２２から飛び出してしまう問題がなくなる。
【００５８】
この収納容器２２では、上下２段となった収納容器であり、上段の収納部に使用するトイレットペーパー２５を装着し、上部より、紙切板２１で押さえ、引き出したトイレットペーパーは切断部２４で切断して使用する。
【００５９】
上段の収納容器の内部底面には、図１に示すような滑り手段（図示しない）が設けられている。
【００６０】
収納容器２２の下段のサイドから予備のトイレットペーパー２７をストックすることができる。
【００６１】
図５は、蓋体付のトイレットペーパーホルダーの実施例であり、図１０に示した既存のトイレットペーパーホルダー２０を取り外して使用できる実施例である。
【００６２】
この実施例では、トイレットペーパー２５を上部から押える役目をする既存の紙切板２１の代わりに、２枚の蓋体２３ａと２３ｂとが開閉可能に設けられている。
【００６３】
手前側のトイレットペーパー切断部２４がその先端に設けられた前蓋体２３ａと、奥側で前蓋体２３ａと一部が重なるように設けられた後蓋体２３ｂとで構成される。
【００６４】
図のように、前蓋体２３ａの上部で、後蓋体２３ｂの下部をトイレットペーパー２６が引き出されるようになっている。
【００６５】
図６は、蓋体付の他のトイレットペーパーホルダーの実施例である。
【００６６】
この実施例では、上蓋３１は、１枚で構成され、収納容器３０の上部の奥側に蝶番３２により開閉自在に取り付けられている。
【００６７】
トイレットペーパーの切断部３３は、収納容器３０の上部の手前側端部に取り付けられている。
【００６８】
この例では、上蓋３１を図のように開き、トイレットペーパー３４を収納し、図７に示すように、トイレットペーパー３４の先端部３６を切断部３３に沿って引き出し、上蓋３１を閉じることで、簡単にトイレットペーパー３４を装着できる。
【００６９】
また、トイレットペーパー３４を使用して、径が小さくなっても、飛び出すことはなく、最後までスムーズに使用できる。
【００７０】
図８は、本発明による下部切断刃によるトイレットペーパーホルダーの実施例を示す斜め下方から見た斜視図であり、上部が開放され、その前面から底部にかけて円形状となっている収納容器４０であり、該収納容器４０の内面側には図１に示すような棒状レール（図示しない）が設けられている。
【００７１】
１１は既存の紙切板を示し、４７は本トイレットペーパーホルダーの壁面への取り付け部の補強板を示す。
【００７２】
前面部には滑り止め手段４１として、サンドペーパー４１が貼り付けられており、円形となった下面部に切断刃４２が設けられていることを特徴とするトイレットペーパーホルダーである。
【００７３】
該切断刃４２は、図９に示すように、その左右両端部４３Ｌ、４３Ｒが突出しており、その中央部４３Ｃは凹んでおり、全体として湾曲した形状の刃面４４となっている。
【００７４】
このように、滑り止め手段４１と切断刃４２が設けられていると、その収納容器４０にトイレットペーパー４５を上部から収納し、トイレットペーパー４５の先端部４６を引き出して、収納容器下部の切断刃４２で容易に切断することができる。
【００７５】
滑り止め手段４１により、引き出したトイレットペーパー４６は、引き戻されることなく、切断しやすくなる。
【００７６】
また、トイレットペーパー４５の残りが少なくなり、ロール径が小さくなった場合においても、収納容器４０内部に切断後巻き込まれることはない。
【００７７】
また、滑り止め手段４１は、多数の棘や爪などを設けたものでも良く、付箋紙などに使用される着脱自在な化学糊を塗布したものでも良い。
【００７８】
滑り止め手段４１を設ける部分は、収納容器４０の前面部で切断刃４２の上部であり、その設置面は、曲面でも平面でも良く、傾斜面としても良い。
【００７９】
また、切断刃４２は、収納容器４０の前面より刃面４４が突出しないので、安全であり、刃面４４は湾曲しているので、底面側の位置でも切断しやすく、該切断刃４２の突出した両端部には刃がないので刃や角部で手を傷つけることもない。
【００８０】
また、図１０のような、既存のトイレットペーパーホルダー１１の下部に取り付けて、紙切板１２をトイレットペーパーの抑えとして使用しても良く、トイレットペーパーのロール径が大きいときは、その既存の紙切板１１で切断し、ロール径が小さいときは、収納容器下部の切断刃４１で切断するようにしても良い。
【００８１】
本実施例では、滑り手段として、棒状レールを用いたが、これに限定されるものではなく、凸状レールなどトイレットペーパーを引き出すときに容易に滑り回転できるものであればいずれでもよい。
【００８２】
収納容器の内面側に滑り素材を取り付けたり、被覆加工したものでも良い。
【００８３】
滑り素材としては、例えば、フッ素樹脂加工やそのシートを貼りつけたものでもよく、ニチアス（株）のカグスベールに使用されているフッ素樹脂（ナフロン（登録商標））製シート・シールなどが使用できる。
【００８４】
また、収納容器の底部を湾曲させて滑りやすくしても良い。
【００８５】
また、滑り素材としてフッ素樹脂塗料を塗布しても良い。
【００８６】
滑り素材は、安全性、耐久性の高いものが好ましい。
【００８７】
また、前記のレールの上面に滑り素材の表面加工や貼りつけを行っても良い。
【００８８】
また、収納容器は、軽い樹脂製が好ましく、取り付けは、接着剤や接着テープあるいはネジ止めなどでも良い。
【図面の簡単な説明】
【００８９】
【図１】本発明によるトイレットペーパーホルダーの実施例を示す図である。
【図２】本発明によるトイレットペーパーのセット状態の模式図である。
【図３】本発明によるトイレットペーパーホルダーの切断刃付きの実施例を示す図である。
【図４】本発明によるトイレットペーパーホルダーの他の実施例を示す図である。
【図５】本発明による２枚蓋体付トイレットペーパーホルダーの実施例を示す図である。
【図６】本発明による上蓋付トイレットペーパーホルダーの他の実施例を示す図である。
【図７】本発明による上蓋付トイレットペーパーホルダーの使用状態を示す図である。
【図８】本発明による下部切断刃によるトイレットペーパーホルダーの実施例を示す図である。
【図９】本発明による湾曲状切断刃の実施例を示す図である。
【図１０】従来のトイレットペーパーホルダーの実施例を示す図である。
【符号の説明】
【００９０】
１  取付フレーム
２、１２、２１  紙切板
３、１５、２２、３０、４０  収納容器
４、１７  棒状レール
５  ストック台
６  引き出しロッド
１０、２５、３４、４５  トイレットペーパー
１１、２０  ホルダー
１６、２４、３３  切断部（切断刃）
１８  水抜き穴
２３、２３ａ、２３ｂ、３１  蓋
４１  滑り止め手段（サンドペーパー）
４２  湾曲状切断刃
【図１】
2006263446.tif 000003
【図２】
2006263446.tif 000004
【図３】
2006263446.tif 000005
【図４】
2006263446.tif 000006
【図５】
2006263446.tif 000007
【図６】
2006263446.tif 000008
【図７】
2006263446.tif 000009
【図８】
2006263446.tif 000010
【図９】
2006263446.tif 000011
【図１０】
2006263446.tif 000012